(57)【要約】      （修正有）【課題】操作時の楽しさを十分に感じられるとともに、娯楽性と操作上の利便性を達成することができる、模擬弾を追加装填したＢＢ弾のマガジンを提供する。【解決手段】ケース体１と、ケース体内に設けられた弾性部品１３と、ケース体内に上下にスライド可能に設けられたマガジンカートリッジ２と、ケース体内に可動に設けられた少なくとも一つの模擬弾３とからなる。マガジンカートリッジの一端に、弾性部品が結合される。模擬弾は、マガジンカートリッジにおける弾性部品から離れた一端と接触する。模擬弾をケース体内に取り付けた時、マガジンカートリッジが下方に向かって押される。また、ＢＢ弾を打ち出す時には、模擬弾がケース体から押し出される。この時、弾性部品がマガジンカートリッジを上方へ押し動かして発射待機位置まで移動させる。【選択図】図２
0003186373.tif 000002
【実用新案登録請求の範囲】
【請求項１】
ケース体と、マガジンカートリッジと、模擬弾とからなる、模擬弾を追加装填したＢＢ弾のマガジンであって、
前記ケース体は、内部に弾性部品が設けられ、
前記マガジンカートリッジは、前記ケース体内に上下にスライド可能に設けられるとともに、その一端に前記弾性部品が結合され、
少なくとも一つの前記模擬弾は、前記ケース体内に可動に設けられ
前記模擬弾は、前記マガジンカートリッジにおける前記弾性部品から離れた一端と接触することを特徴とする、模擬弾を追加装填したＢＢ弾のマガジン。
【請求項２】
前記ケース体の一端には、開口が形成され、前記開口から離れた一端の内壁には前記弾性部品が設けられ、
前記マガジンカートリッジは、前記ケース体内に収容され、前記開口には前記模擬弾の上下位置を定めるストッパー部が形成されることを特徴とする、請求項１に記載の模擬弾を追加装填したＢＢ弾のマガジン。
【請求項３】
前記マガジンカートリッジの内部には、ＢＢ弾を収容する給弾路が形成され、
前記給弾路の内部には、ＢＢ弾を給弾路口まで押し動かす圧縮バネが設けられることを特徴とする、請求項１に記載の模擬弾を追加装填したＢＢ弾のマガジン。
【請求項４】
前記マガジンカートリッジには、さらに装飾用弾帯が設けられることを特徴とする、請求項１に記載の模擬弾を追加装填したＢＢ弾のマガジン。
【請求項５】
前記ケース体の一側面は透明な材質からなることを特徴とする、請求項１に記載の模擬弾を追加装填したＢＢ弾のマガジン。
【考案の詳細な説明】
【技術分野】
【０００１】
本考案は、本物の銃におけるマガジン装弾方法を模したＢＢ弾銃の構造に関し、特に、娯楽性と操作上の利便性を備えた、模擬弾を追加装填したＢＢ弾のマガジンに関する。
【背景技術】
【０００２】
トイガンは、機械構造によって、本物の銃が弾を発射するようにＢＢ弾を打ち出して遊ぶ、本格的な玩具である。
【０００３】
近年の社会的な進歩につれて、トイガンの構造もますます精緻且つ複雑になっている。その目的は、使用者により本物の銃に近い体験を提供することにある。よって、関連業者は、どのような細かな点についても考えを尽くして改良をしている。
【０００４】
しかし、たとえトイガンがいかに本物に近づいたとしても、打ち出される物体が異なる以上、マガジンの構造は影響を受ける。一般的に本物の銃のマガジンは、銃弾が薬莢と弾頭からなることに対応した構造になっている。一方、トイガンのマガジンは、給弾路にＢＢ弾を収容する。本物を模すという前提を出発点にした上で、トイガンのマガジンに、どのようにして本物の弾を装填する感覚と操作感を持たせるかという課題がある。本考案者及びこの業界に従事する関連業者は、この課題の達成に向けて研究を重ねている。
【考案の概要】
【考案が解決しようとする課題】
【０００５】
そこで、本考案は、従来のトイガンマガジンにおける本物感の欠如という問題を解決するとともに、娯楽性と操作上の利便性を備えた、模擬弾を追加装填したＢＢ弾のマガジンを提供することを目的とする。
【課題を解決するための手段】
【０００６】
上述の目的を達成するため、本考案の模擬弾を追加装填したＢＢ弾のマガジンは、内部に弾性部品が設けられたケース体と、前記ケース体内に上下にスライド可能に設けられたマガジンカートリッジと、前記ケース体内に可動に設けられた少なくとも一つの模擬弾とからなる。前記マガジンカートリッジの一端には、前記弾性部品が結合される。前記模擬弾は、前記マガジンカートリッジにおける前記弾性部品から離れた一端と接触する。
【０００７】
上述の構造に基づき、トイガンに使用するＢＢ弾を先にマガジンカートリッジ内に装填してから、模擬弾をケース体内に装填する。この時、マガジンカートリッジが模擬弾に押されてケース体下方に向かって移動する。この構造により、本物の銃に弾を装填するかのような操作感と娯楽性が生まれる。また、模擬弾がケース体から押し出される時、マガジンカートリッジは弾性部品の作動によって上方へスライド移動し、発射待機位置まで押し動かされてＢＢ弾の発射に備える。以上により、娯楽性と操作上の利便性という利点を達成する。
【図面の簡単な説明】
【０００８】
【図１】本考案の実施例を示した斜視図である。
【図２】本考案の実施例を示した分解図である。
【図３】本考案の実施例における作動の様子を示した概略図（一）である。
【図４】本考案の実施例における作動の様子を示した概略図（二）である。
【図５】本考案の実施例における作動の様子を示した概略図（三）である。
【考案を実施するための形態】
【０００９】
図１、図２、図３、図４、図５を参照する。図は、それぞれ本考案の実施例の斜視図、分解図、作動の様子を示した概略図（一）・（二）・（三）である。図に示したように、本考案は、ケース体１と、マガジンカートリッジ２と、模擬弾３とからなる。
【００１０】
ケース体１は、その一端に開口１１が形成され、開口１１から離れた一端の内壁に弾性部品１３が設けられ、開口１１にはさらにストッパー部１２が形成されるとともに、ケース体１の一側面は透明な材質からなる。
【００１１】
マガジンカートリッジ２は、ケース体１の内部に収容されるとともに、上下にスライド可能に設けられる。マガジンカートリッジ２の内部には、ＢＢ弾４を収容する給弾路２１が形成される。給弾路２１の内部には、ＢＢ弾４を給弾路口２１１まで押し動かす圧縮バネ２２が設けられる。マガジンカートリッジ２には、さらに装飾用弾帯２３が設けられるとともに、給弾路口２１１から離れた一端に、弾性部品１３が結合される。
【００１２】
少なくとも一つの模擬弾３は、ケース体１の内部に可動に設けられるとともに、マガジンカートリッジ２における給弾路口２１１の一端と接触する。
【００１３】
上述の構造に基づき、本考案の模擬弾を追加装填したＢＢ弾のマガジンの使用時における動作について、以下に述べる。図３を参照する。図は、模擬弾３が未装填の状態のケース体１を示している。図に示したように、マガジンカートリッジ２は弾性部品１３に押されることにより、発射待機位置まで移動する。給弾路２１内に収容されたＢＢ弾４は、圧縮バネ２２に押されることにより給弾路口２１１まで移動して装填に備える。図４を参照する。図は、填裝模擬弾３が充填された状態のケース体１を示している。ケース体１に裝填模擬弾３を装填するために、マガジンカートリッジ２をケース体１の下方に向かって押し動かし、模擬弾３を収容するスペースを作る必要がある。この時、弾性部品１３が圧縮されることにより、模擬弾３が開口１１からケース体１内に入る。模擬弾３の装填が完了した時、マガジンカートリッジ２は弾性部品１３の弾性動作を受けて、上部の開口１１に向かって移動する。模擬弾３は、マガジンカートリッジ２の上方への移動を受けるとともに、ストッパー部１２に上下の位置を定められることによって、マガジンカートリッジ２内にしっかりと収容される。また、装飾用弾帯２３によって全体的外観が本物の銃のマガジンのようになる。以上により、真に迫った視覚的効果に加え、本物の銃に弾を装填するかのような操作を体験することができる。図５を参照する。図は、模擬弾３がケース体１から押し出される様子を示した概略図である。ストッパー部１２は本物の銃のマガジンリップと同様の構造であるため、模擬弾３は前方にしか押し出されない。一つ一つの模擬弾３が押し出される時、ケース体１内のスペースが拡大し、マガジンカートリッジ２は弾性部品１３の作動を受けると同時に、開口１１の方向に向かって移動する。模擬弾３が全て押し出された時、マガジンカートリッジ２は発射待機位置まで移動する（図３の説明と同様のため、ここでは重複説明しない）。
以上のように、模擬弾３を利用した全く新しいトイガンの構造及び作動方法によって、使用者は本物の銃に弾を装填するかのような操作の楽しさを体験できる。また、ケース体１が透明材質からなること、及び装飾用弾帯２３が取り付けられることによって、全体的外観が本物の銃のマガジンのように感じられる。さらに、マガジンカートリッジ２と弾性部品１３の組み合わせは、模擬弾３を取り外す際に非常に便利である。これにより、本考案は、娯楽性と操作上の利便性という利点を達成する。
【００１４】
以上より、本考案の模擬弾を追加装填したＢＢ弾のマガジンは、以下の点において従来技術を改善することができる。内部にマガジンカートリッジ２及び模擬弾３が収容されたケース体１と、ストッパー部１２及び弾性部品１３とが組み合わされることによって、模擬弾３の取り外しの際に、本物の銃に弾を装填するかのような操作感と娯楽性が生まれる。さらに、マガジンカートリッジ２がケース体１の上下にスライド移動する作動パターンであることから、使用上に大きな差異が無く、使用者が改めて学ばずとも上手く操作することができる。これにより、娯楽性と操作上の利便性という利点を達成する。
【符号の説明】
【００１５】
１            ケース体
１１   開口
１２   ストッパー部
１３   弾性部品
２            マガジンカートリッジ
２１   給弾路
２１１ 給弾路口
２２   圧縮バネ
２３   装飾用弾帯
３            模擬弾
４            ＢＢ弾
【図１】
0003186373.tif 000003
【図２】
0003186373.tif 000004
【図３】
0003186373.tif 000005
【図４】
0003186373.tif 000006
【図５】
0003186373.tif 000007